(57)【特許請求の範囲】
【請求項１】
コンピュータが、
図面を記憶した図面管理手段から隔離対象機器を含む図面を検索する図面検索ステップと、
前記図面検索ステップで検索した図面上の機器が指定されると、該機器に接続されている次の操作機器を終端機器として隔離範囲を決定し、該隔離範囲に存在する操作対象機器の各々に隔離のための操作状態を設定する操作状態設定ステップと、
前記操作対象機器の各々のシンボルに重ねて前記操作状態設定ステップで設定した操作状態に対応する手書き風の状態表示図形を表示するアイソレーション計画図面を作成する計画図面作成ステップと、
を実行することを特徴とする保守管理方法。
【請求項２】
コンピュータが、
アイソレーション計画図面を含む計画情報を記憶した保守管理テーブル手段から、隔離対象機器に対応するアイソレーション計画図面を検索する保存図面検索ステップと、
前記保存図面検索ステップで検索したアイソレーション計画図面上の操作対象機器の操作状態を設定変更する操作状態変更ステップと、
前記操作状態変更ステップで設定変更した操作状態に対応して前記操作対象機器のシンボルに重ねて表示する手書き風の状態表示図形を変更する計画図面変更ステップと、
確定操作により前記計画図面変更ステップで変更したアイソレーション計画図面を含む計画情報を前記保守管理テーブル手段に保存する保存ステップと、
を実行することを特徴とする保守管理方法。
【請求項３】
コンピュータに、
図面を記憶した図面管理手段からプラントの特定の隔離対象機器を含む図面を検索する図面検索ステップと、
前記図面索ステップで検索した図面上の機器が指定されると、該機器に接続されている次の操作機器を終端器として隔離範囲を決定し、該隔離範囲に存在する操作対象機器の各々に隔離のための操作状態を設定する操作状態設定ステップと、
前記操作対象機器の各々のシンボルに重ねて前記操作状態設定ステップで設定した操作状態に対応する手書き風の状態表示図形を表示するアイソレーション計画図面を作成する計画図面作成ステップと、
を実行させることを特徴とする保守管理プロクラム。
【請求項４】
コンピュータに、
アイソレーション計画図面を含む計画情報を記憶した保守管理テーブル手段から、隔離対象機器に対応するアイソレーション計画図面を検索する保存図面検索ステップと、
前記保存図面検索ステップで検索したアイソレーション計画図面上の操作対象機器の操作状態を設定変更する操作状態変更ステップと、
前記操作対象機器のシンボルに重ねて操作状態変更ステップで設定変更した操作状態に対応する手書き風の状態表示図形を表示するように前記保存図面検索ステップで検索したアイソレーション計画図面を変更する計画図面変更ステップと、
確定操作により前記計画図面変更ステップで変更したアイソレーション計画図面を含む計画情報を保守管理テーブル手段に保存する保存ステッブと、
を実行させることを特徴とする保守管理プロクラム。
【請求項５】
図面を記憶した図面管理手段から隔離対象機器を含む図面を検索する図面検索手段と、
前記図面索手段で検索した図面上の機器が指定されると、該機器に接続されている次の操作機器を終端機器として隔離範囲を決定し、該隔離範囲に存在する操作対象機器の各々に隔離のための操作状態を設定する操作状態設定手段と、
前記操作対象機器の各々のシンボルに重ねて前記操作状態設定手段で設定した操作状態に対応する手書き風の状態表示図形を表示するアイソレーション計画図面を作成する計画図面作成手段と、
を備えたことを特徴とする保守管理システム。
【発明の詳細な説明】
【０００１】
【発明の属する技術分野】
本発明は、プラントの修理点検時等に特定の機器を隔離する操作のために使用するアイソレーション計画を作成する保守管理システム、方法及びプログラムに関し、特に、アイソレーション計画図面の機器操作状態を確認しやすいように表示させる保守管理システム、方法及びプログラムに関する。
【０００２】
【従来技術】
従来、原子力施設などのプラント内において故障が発生した場合、まず故障した機器の周りの弁を閉めるなどの操作により故障機器を隔離するアイソレーション操作を実施し、アイソレーション操作後に故障機器の交換等の作業を実施する。
【０００３】
またプラントによっては法的に定期的な点検が義務付けられている場合があり、この定期点検の際にも点検対象機器を隔離するアイソレーション操作を実施し、アイソレーション操作後に機器の交換等の作業を実施する。
【０００４】
このようなアイソレーション操作にあっては、従来、保守要員が保守管理図面を管理しているサーバにアクセスして故障個所のＣＡＤ図面を検索してプリントアウトし、ＣＡＤ図面上で故障機器の周りの弁などの機器を表すシンボルに、アイソレーション操作のために必要な弁の開閉状態などを示す状態図形を手作業で書込んでアイソレーション計画図面を準備し、アイソレーション状況が一見して確認できるようにすることで、業務上の安全性向上を図っている。
【０００５】
【発明が解決しようとする課題】
しかしながら、従来のアイソレーション計画図面の作成作業にあっては、保守要員がプリントアウトしたＣＡＤ図面見て、対象機器に対するアイソレーション範囲の判断、アイソレーション範囲に含まれる弁の開閉状態などを手作業で書込んでおり、計画図面の作成に手間と時間がかかる問題がある。
【０００６】
また故障機器の交換を行った場合には、交換機器をインデックスに、アイソレーション操作を行った機器のリストを保守記録として作成して保存しているが、後に同じ機器が故障した場合には、保存している対象リストを検索し、このリストを見ながら保守要員がプリントアウトしたＣＡＤ図面にアイソレーションのための弁の開閉状態などを手作業で書込んでアイソレーション計画図面を再度作成しており、依然として手間と時間がかかり、過去の保守履歴が充分に活用できない問題もある。
【０００７】
本発明は、機器交換等に際しアイソレーション操作のための計画図面を効率良く作成可能とする保守管理システム、方法及びプログラムを提供することを目的とする。
【０００８】
また本発明の他の目的は、機器シンボルに操作状態を示す状態表示図形を強調表示させてアイソレーション状況を一見して確認可能とする保守管理システム、方法及びプログラムを提供することを目的とする。
【０００９】
【課題を解決するための手段】
図１は本発明の原理説明図である。本発明は、プラントの修理点検時等に特定の機器を隔離する操作のために使用するアイソレーション計画を作成する保守管理方法を提供する。
【００１０】
この保守管理方法は、
隔離対象機器を含む図面を検索して表示する図面検索ステップと、
図面上で隔離範囲を決定し、隔離範囲に存在する操作対象機器の各々に隔離のための操作状態を設定する操作状態設定ステップと、
操作対象機器の操作状態に対応して手書き風の状態表示図形を機器のシンボルに重ねて表示させたアイソレーション計画図面を作成する計画図面作成ステップと、
確定操作によりアイソレーション計画図面を含む計画情報を保存する保存ステップと、
を備えたことを特徴とする。
【００１１】
このため交換しようとする隔離対象機器を特定することによって、対応するＣＡＤ図面が自動的に検索して表示され、表示されたＣＡＤ図面上で隔離対象機器の周りのアイソレーション操作を必要とする隔離範囲を試行錯誤的に決定し、決定した隔離範囲の操作対象機器の操作状態を決めると、操作状態を示す手書き風の状態表示図形が聞きシンボルに重ねて表示され、アイソレーション状況が一見して確認可能となる。
【００１２】
特に、通常、規則正しい図形が並ぶＣＡＤ図面において、手書き風図形の歪さは非常に強調された存在となり、機器シンボル図形と操作の状態表示図形との区別が、凝視せずとも感覚で識別可能となり、アイソレーション業務の安全性をさらに向上させることができる。
【００１３】
本発明の保守管理方法は、アイソレーション計画図面を含む計画情報が保存されている場合、
隔離対象機器に対応した保存済みアイソレーション計画図面を検索して表示させる保存図面検索ステップと、
アイソレーション計画図面上で必要に応じて操作対象機器の操作状態を設定変更する操作状態変更ステップと、
操作対象機器の操作状態の設定変更に対応して手書き風の状態表示図形を変更させる計画図面変更ステップと、
確定操作により変更済みのアイソレーション計画図面を含む計画情報を保存する保存ステップと、
を備えたことを特徴とする。
【００１４】
このため、一度、特定の隔離対象機器についてアイソレーション計画図面を含む計画情報が作成保存されると、それ以降については、保存しているアイソレーション計画図面を検索表示し、必要に応じて操作対象機器の操作状態を変更するだけでよく、保存されている過去の保守管理の資産を活用して迅速且つ確実なアイソレーション操作を可能とする。
【００１５】
ここで、図面検索ステップは、機器番号、機器名称又は図面名称の入力により図面管理サーバから前記隔離対象機器を含むＣＡＤ図面を取得して表示する。
【００１６】
操作状態設定ステップは、図面上の操作対象機器をクリックした際に、クリックした操作対象機器に配管接続されている次の操作対象機器を終端機器として隔離範囲を決定する。
【００１７】
具体的には、操作状態設定ステップは、図面上の操作機器をクリックした際に、操作対象機器に配管接続されている次の操作対象機器を終端機器として予め登録した終端機器テーブルを参照して、クリックした操作対象機器に対応する終端機器を認識して隔離範囲を決定する。
【００１８】
このため画面表示されているＣＡＤ図面上で隔離対象機器の周り操作対象機器をクリックすると、これに配管接続されている他の機器が自動的に選択されて例えば色を変えて表示され、この繰り返しにより試行錯誤的に隔離範囲を効率良く決定できる。
【００１９】
操作状態設定ステップは、決定された隔離範囲に含まれる操作対象機器のリストを表示し、このリストに操作状態を入力設定する。
【００２０】
計画図面作成ステップは、人が手書きした図形をＣＡＤシステムのプリミティブ図形に登録し、手書き風の状態表示図形として読出し表示させる。また計画図面作成ステップは、基本となる図形に所定のゆらぎをランダムに与えて手書き風の状態表示図形を作成表示させても良い。
【００２１】
計画図面作成ステップは、操作機器の状態名称と状態表示図形の識別フラグを予め登録したアイソレーション状態定義テーブルを参照して、手書き風の状態表示図形を作成表示させる。
【００２２】
計画図面作成ステップは、操作機器が弁の場合、弁の全開、中間開放及び全閉に対応して丸、三角及びバツの手書き風の状態表示図形を作成表示させる。
【００２３】
保存ステップは、確定操作時に、操作対象機器に配管接続されている次の操作機器を終端機器として予め登録した終端機器テーブルを参照して隔離範囲を検証し、隔離範囲の過不足を表示させる。この自動検証機能により隔離範囲の決定をより確実なものとする。
【００２４】
本発明は、プラントの修理点検時に特定の機器を隔離する操作のために使用するアイソレーション計画を作成する保守管理のためのプログラムを提供する。このプログラムは、
コンピュータに、
プラントの特定の隔離対象機器を含む図面を検索して表示する図面検索ステップと、
図面上で隔離範囲を決定し、前記隔離範囲に存在する操作対象機器の各々に隔離のための操作状態を設定する操作状態設定ステップと、
操作対象機器の操作状態に対応して手書き風の状態表示図形を機器のシンボルに重ねて表示させたアイソレーション計画図面を作成する計画図面作成ステップと、
確定操作によりアイソレーション計画図面を含む計画情報を保存する保存ステップと、
を実行させることを特徴とする。
【００２５】
本発明のプログラムは、アイソレーション計画図面を含む計画情報が保存されている場合、コンピュータに、
隔離対象機器に対応した保存済みアイソレーション計画図面を検索して表示させる保存図面検索ステップと、
アイソレーション計画図面上で必要に応じて前記操作対象機器の操作状態を設定変更する操作状態変更ステップと、
操作対象機器の操作状態の設定変更に対応して手書き風の状態表示図形を変更させる計画図面変更ステップと、
確定操作により変更済みのアイソレーション計画図面を含む計画情報を保存する保存ステップと、
を実行させることを特徴とする。
【００２６】
本発明は、プラントの修理点検時に特定の機器を隔離する操作のために使用するアイソレーション計画を作成する保守管理システムを提供する。
【００２７】
この保守管理システムは、図１（Ｂ）のように、
隔離対象機器を含む図面を検索して表示する図面検索部４０と、
図面上で隔離範囲を決定し、隔離範囲に存在する操作対象機器の各々に隔離のための操作状態を設定する操作状態設定部４２と、
操作対象機器の操作状態に対応して手書き風の状態表示図形を機器のシンボルに重ねて表示させたアイソレーション計画図面を作成する計画図面作成部４４と、
確定操作によりアイソレーション計画図面を含む計画情報を保存する保存部４６と、
を備えたことを特徴とする。
【００２８】
更に、本発明の保守管理システムは、
隔離対象機器に対応した保存済みアイソレーション計画図面を検索して表示させる保存図面検索部４８と、
アイソレーション計画図面上で必要に応じて操作対象機器の操作状態を設定変更する操作状態変更部５０と、
操作対象機器の操作状態の設定変更に対応して手書き風の状態表示図形を変更させる計画図面変更部５２と、
を備えたことを特徴とする。尚、本発明のプログラム及び保守管理システムの詳細は、保守管理方法と同じになる。
【００２９】
【発明の実施の形態】
図２は、本発明によるシステム構成の説明図である。図２において、原子力施設などのプラントに対し本発明の保守管理システムが設置されており、システム構成としては、保守管理クライアント１０に対しＬＡＮなどのネットワークを介して図面管理サーバ１２と保守管理データベースサーバ１４を接続し、更にプラントを対象に設けられているデータ収集システムサーバ１６が設けられている。
【００３０】
保守管理クライアント１０は、本発明による保守管理システムとしての機能を実現しており、プラントの機器が故障した場合の修理点検や定期点検の際に、特定の機器を隔離するための操作に使用するアイソレーション計画を作成する。このアイソレーション計画は、ＣＡＤ図面を利用したアイソレーション計画図面とアイソレーション票で構成されている。
【００３１】
図面管理サーバ１２には、保守管理の対象となるプラントのＣＡＤ図面及び各種機器の情報が保存管理されている。このため保守管理クライアント１０は、図面管理サーバ１２にアクセスすることで、故障または点検時に交換対象とする機器を含むＣＡＤ図面を検索して表示することができる。
【００３２】
保守管理データベースサーバ１４は、本発明の保守管理システムを構築する保守管理クライアント１０で作成されたアイソレーション計画を含む各種の保守管理データを、データベースとして蓄積管理している。
【００３３】
更にデータ収集システムサーバ１６は、保守管理対象となるプラントに設けられている各種センサによるデータ収集の記録管理を行っている。このデータ収集システムサーバ１６で収集されたデータは、プラントの集中管理を行うクライアントもしくは監視パネルなどの表示制御に用いられる。
【００３４】
図３は、本発明による保守管理システムの機能構成のブロック図であり、ネットワーク１８を介して接続された図面管理サーバ１２及び保守管理データベースサーバ１４側と共に示している。
【００３５】
図３において、本発明の保守管理システム１１は、保守管理クライアント１０と保守管理に必要な各種のテーブルで構成される。保守管理クライアント１０には本発明によるアイソレーション計画の作成処理のため、機器テーブル２０、機器／図面変換テーブル２２、図番／図面名変換テーブル２４、終端機器テーブル２６、アイソレーション状態定義テーブル２８、状態表示図形テーブル３０、実施計画テーブル３２及び実施計画詳細テーブル３４が設けられている。これらのテーブルの詳細は後の説明で明らかにする。
【００３６】
保守管理クライアント１０の機能は、新規作成部３６と実績参照作成部３８で構成される。新規作成部３６は、特定の隔離対象機器につきアイソレーション計画を最初に作成するときに動作する。実績参照作成部３８は、特定の隔離対象機器につきアイソレーション計画が既に作成保存されている場合に動作する。
【００３７】
新規作成部３６は、図面検索部４０、操作状態設定部４２、計画図面作成部４４及び保存部４６を備える。図面検索部４０は、故障または保守点検の対象となった隔離対象機器を含むＣＡＤ図面を検索して表示する。
【００３８】
操作状態設定部４２は、図面検索により表示されたＣＡＤ図面上でアイソレーションを行う隔離範囲を決定し、この隔離範囲に存在する操作対象機器の各々に隔離のための操作状態、例えば弁であれば弁の開または閉状態を設定する。
【００３９】
計画図面作成部４４は、操作状態設定部４２で設定された操作対象機器の操作状態に対応して、手書き風の状態表示図形を機器のシンボルに重ねて表示させたアイソレーション計画図面を作成する。保存部４６は確定操作によりアイソレーション計画図面を含む計画情報を、保守管理データベースサーバ１４に設けているアイソレーション票ファイル５８及びアイソレーション計画図面ファイル６０に保存する。
【００４０】
実績参照作成部３８は、保存図面検索部４８、操作状態変更部５０及び計画図面変更部５２を備える。保存図面検索部４８は、故障または保守点検を行う隔離対象機器に対応した保存済みアイソレーション計画図面を検索して表示させる。
【００４１】
この検索は、保守管理データベースサーバ１４にアクセスし、アイソレーション票ファイル５８から対応するアイソレーション票を読み出し、同時にアイソレーション計画図面ファイル６０から対象とするアイソレーション計画図面を読み出す。
【００４２】
操作状態変更部５０は、検索表示された保存済みアイソレーション計画図面上で、必要に応じて操作対象機器の操作状態を設定変更する。もちろん、保存しているアイソレーション計画図面と今回の操作対象機器の操作状態に変化がなければ、この操作状態の変更は行わず、そのまま保存済みのアイソレーション計画図面を使用することになる。
【００４３】
計画図面変更部５２は、操作対象機器の操作状態の設定変更に対応して手書き風の状態表示図形を変更させる。もちろん実績参照作成部３８においても、確定操作が行われると新規作成部３６の保存部４６を動作し、修正変更したアイソレーション計画図面及びこれに対応したアイソレーション票を保守管理データベースサーバ１４のアイソレーション計画図面ファイル６０及びアイソレーション票ファイル５８に保存する。
【００４４】
図４は、図３の保守管理システム１１として機能する本発明の保守管理方法によるアイソレーション計画図面作成処理のフローチャートである。
【００４５】
図４において、ステップＳ１〜Ｓ３、Ｓ５〜Ｓ７の処理が、図３の保守管理クライアント１０に設けている新規作成部３６の処理となる。またステップＳ１，Ｓ４，Ｓ５〜Ｓ７の処理が、図３の保守管理クライアント１０における実績参照作成部３８の処理となる。
【００４６】
まずステップＳ１で新規作成が判別された場合には、ステップＳ２に進み、修理または保守点検の対象となっている隔離対象機器を含む図面を検索して表示する。続いてステップＳ２で、表示図面上でアイソレーション操作を行う隔離範囲を試行錯誤的に決定する。
【００４７】
隔離範囲が決定したならば、ステップＳ５で隔離範囲に存在する操作対象機器についてアイソレーションのための操作状態を設定する。続いてステップＳ６で、操作対象機器の操作状態に対応して手書き風の状態表示図形、例えば手書き風の「○」「△」「×」を機器のシンボルに重ねて表示させたアイソレーション計画図面を作成する。ステップＳ７にあっては確定操作に基づき、作成されたアイソレーション計画図面を対応するアイソレーション票と共に保存する。
【００４８】
一方、ステップＳ１で実績参照作成が判別された場合には、ステップＳ４に進み、修理または保守対象となっている隔離対象危機に対応した保存済みアイソレーション計画図面及びそのアイソレーション票を検索して保存図面を表示する。この保存図面には、前回作成された隔離範囲の操作対象機器について手書き風の状態表示図形が機器シンボルに重ねて表示されており、もし操作対象機器の操作状態を変更する必要があれば、ステップＳ５で操作状態の設定変更を行う。
【００４９】
操作状態の設定変更が行われると、ステップＳ６で、変更した操作状態に対応して手書き風の状態表示図形を変更させて計画図面を作成する。最終的にステップＳ７で、確定操作に基づき、保存されているアイソレーション計画図面の修正変更により作成された新たなアイソレーション計画図面を、対応するアイソレーション票と共に保存する。
【００５０】
図５は、図３の保守管理システム１１及び図４のフローチャートに従って作成されたアイソレーション計画図面として使用される状態表示図面６２の具体例である。
【００５１】
図５において、この状態表示図面６２は保守点検のためのアイソレーション計画図面の例であり、破線で示す部分が色分けされた隔離範囲を表わしており、この隔離範囲に存在する弁などの操作対象機器に対し、アイソレーションのための操作状態を表わす図形として手書き風の「○」「△」及び「×」が機器シンボルに重ね合わせて表示される。
【００５２】
この手書き風状態表示図形による強調表示により操作対象機器のアイソレーション状態がＣＡＤ図面の機器シンボルから明確に区別でき、一見して確認することができる。
【００５３】
図６は、図３の機器テーブル２０の具体例であり、図５の状態表示図面６２を作成する場合を例にとっている。この機器テーブル２０は、機器番号、機器名称、定常状態コードの３つの情報で構成されている。また、この例ではテスト弁、テスト計測器、テストポンプの３種が示されており、テスト弁及びテスト計測器の定常状態コードは全開を示す「ＯＰ」、またテストポンプについては運転状態を示す定常状態コード「ＯＮ」となっている。
【００５４】
図７は、図３の機器／図面変換テーブル２２の具体例である。この機器／図面変換テーブル２２は機器番号と図面番号で構成されている。このため、機器番号を指定することによって、指定した機器が含まれる図面番号を認識し、指定した機器を含むＣＡＤ図面を検索して表示させることができる。
【００５５】
図８は、図３の図番／図面名変換テーブル２４であり、図面番号に対応して図面名を登録している。このため、図７の機器／図面変換テーブル２２により機器番号から図面番号が検索された後に、検索された図面番号により図番／図面名変換テーブル２４を参照し、対応する図面名を取得し、これによって図面管理サーバ１２側のＣＡＤ図面ファイル５６から対象図面を読み出すことができる。
【００５６】
図９は、図３の終端機器テーブル２６の説明図である。この終端機器テーブル２６は、ＣＡＤ図面上でアイソレーションのための隔離範囲を自動的に決定する際に利用される。即ち終端機器テーブル２６には、特定の操作対象機器をクリックした際に、配管により接続されているどの機器まで隔離範囲を拡大するかを定義している。
【００５７】
この例では機種コードとして弁を意味する機種コード「ＴＳＴ１」が定義されている。したがって、ＣＡＤ図面上で特定の機器をクリックすると、この終端機器テーブル２６の定義に従って配管で接続された次の弁まで隔離範囲を自動的に拡張する処理が実行される。
【００５８】
終端機器テーブル２６は、ＣＡＤ図面上で隔離範囲を決定する際に使用されるのみならず、アイソレーション計画図面を作成して確定操作を行って保存する際の検証にも使用される。
【００５９】
即ち、ＣＡＤ図面上における隔離範囲は保守要員が画面上で図面を見ながら試行錯誤的に範囲を決定しており、人為的な処理であることから必ずしも終端機器テーブルの定義に従った範囲の決定が行われていない可能性がある。
【００６０】
そのため、アイソレーション計画図面について確定操作により保存する前に、ＣＡＤ図面上に決定されている隔離範囲について終端機器テーブル２６の定義を適用して検証し、隔離範囲の過不足があれば、これを図面上に例えば正規化表示などさせて、保守要員による確認を促すことになる。
【００６１】
図１０は、図３のアイソレーション状態定義テーブル２８の説明図である。アイソレーション状態定義テーブル２８は、状態コード、状態名及び状態表示図形フラグで構成されている。状態コードは、弁の場合についてはＯＰが開、ＭＤが中間開、ＣＬが閉となる。またポンプについてはＯＮがオン（運転）、ＯＦがオフ（停止）となる。
【００６２】
状態表示図形フラグは、０で手書き風「○」、１で手書き風「△」、更に２で手書き風「×」としている。このアイソレーション状態定義テーブル２８の内容に従って、例えば図６の機器テーブル２０における定常状態コード、図１３の実施計画詳細テーブル３４におけるＩＬ状態コード、復旧状態コードが設定されていることが分かる。
【００６３】
図１１は、図３の状態表示図形テーブル３０の説明図である。この状態表示図形テーブル３０には、図１０のアイソレーション状態定義テーブル２８の状態表示図形フラグ０、１、２に対応した手書き風の基本状態図形３０−１，３０−２，３０−３が、ＣＡＤのプリミティブ図形として登録されている。
【００６４】
このプリミティブ図形は基本状態図形３０−１〜３０−３は、「１．０×１．０」に正規化された図形情報として、状態を「開」「中間開」「閉」に分けて登録されている。
【００６５】
手書き風の基本状態図形３０−１〜３０−３は、図５の状態表示図面６２のように、操作状態が設定された機器シンボルのサイズに合わせた拡大、縮小を受けて、機器シンボルに重ね合わせて表示される。
【００６６】
図１１の手書き風の基本状態図形３０−１〜３０−３は、次の２通りの手法で実現できる。
（１）実際に人が手書きした図形をＣＡＤシステムのプリミティブ図形として登録する。
（２）基本となる図形に、ある程度の揺らぎをランダムに与えて、手書き風図形をリアルタイムで生成して表示させる。
【００６７】
このうち、（１）の人が手描きした図形を利用した場合には全て同じ手書き風図形となるが、（２）のランダムに揺らぎを与えてリアルタイムで生成する場合については、同じＣＡＤ図面の同じ図形であっても、シンボルごとにランダムに揺らぎが生じて異なった図形となり、手書き風図形としての強調性をより一層高めることができる。この（２）の、基本図形にある程度の揺らぎをランダムに与えて手書き風図形を生成する処理は、後の説明で明らかにする。
【００６８】
図１２は、図３の実施計画テーブル３２の説明図である。この実施計画テーブル３２はアイソレーション票のヘッダに当たるテーブルであり、実績参照作成時に検索されるデータであり、新規作成時には参照されない。実施計画テーブル３２には、ＩＬ管理番号（アイソレーション管理番号）、件名、計画者名、計画日、計画開始日、計画終了日が設けられている。
【００６９】
図１３は図３の実施計画詳細テーブル３４の説明図である。この実施計画詳細テーブル３４は、アイソレーション票のデータ部に当たるテーブルであり、実績参照時に検索され、新規作成時には参照されない。
【００７０】
実施計画詳細テーブル３４は、ＩＬ管理番号、機器通番、ＩＬ機器番号、ＩＬ状態コード及び復旧状態コードで構成され、この例では図５に示した状態表示図面６２に対応している。
【００７１】
図１４は、図５に状態表示図面６２として示されたアイソレーション計画図面を作成する本発明による具体的な処理手順のフローチャートであり、このフローチャートが図３の保守管理クライアント１０の新規作成部３６、及び実績参照作成部３８の機能を実現するプログラムを構成する。
【００７２】
図１４において、まずステップＳ１で図１５のメニュー画面６４を開き、その中の「アイソレーション管理」における新規計画６６を選択してクリックする。このクリックにより、図１６の新規作成画面６８が開く。
【００７３】
続いて保守要員は、ステップＳ２で新規作成か否かチェックし、新規作成であればステップＳ３に進み、図１６の新規作成画面６８の右下の対象図面一覧７０をクリックし、図１７の図面検索画面７４を表示させる。
【００７４】
この図面検索画面７４には、図面名称７６、対象機器番号７８及び対象機器名称８０の入力枠が設けられており、ステップＳ４でいずれかに必要な事項を入力して検索ボタンを押すと、図１８の対象図面一覧画面８２が開く。この場合には、図１７の図面検索画面７４の図面名称７６に「テスト図面」を入力して検索ボタン８０をクリックしている。
【００７５】
続いてステップＳ５で、図１８の対象図面一覧画面８２から例えば「テスト図面２」を選択して図面確認ボタン８４をクリックすると、図１９のような元図面８６が呼び出されて表示される。
【００７６】
そこでステップＳ６において、図１９の元図面８６を対象に保守要員は試行錯誤的にアイソレーションのための隔離範囲を決定する。この隔離範囲の決定により、例えば図２０のような範囲表示図面８８が表示される。
【００７７】
このアイソレーション範囲の決定にあっては、図面に表示されている機器の機器番号をクリックすると、クリックした機器の両側に配管接続されている弁までが自動的にアイソレーション範囲として広がる。
【００７８】
例えば機器番号「ＴＳＴ３−９９９−２」をクリックすると、これに配管接続されている弁を示す機器番号「ＴＳＴ１−９９９−４」「ＴＳＴ１−９９９−５」「ＴＳＴ１−９９９−５Ｖ」「ＴＳＴ１−９９９−６」及び「ＴＳＴ１−９９９−７」まで、アイソレーション範囲が自動的に拡大する。このアイソレーション範囲の自動拡大は、図９に示した終端機器テーブル２６の内容に基づいて行われている。
【００７９】
ステップＳ６でアイソレーション範囲が決定したならば、ステップＳ１１に進み、アイソレーション範囲の中の隔離操作したい機器を選択してクリックすることにより、図２１のような機器情報操作画面９０が開かれる。そこでステップＳ１２に進み、この機器情報操作画面９０にリスト表示されている機器に対し、アイソレーション状態を必要に応じて指定する。
【００８０】
機器情報操作画面９０におけるアイソレーション状態の設定が済んだならば、ＯＫボタン９１をクリックすると、このアイソレーション状態の指定に応じ、ステップＳ１３で手書き風の状態表示図形を表示した図５の状態表示図面６２が表示される。
【００８１】
このようにして手書き風状態表示図形が機器シンボルに重ね合わせて表示されたアイソレーション計画図面が作成できたならば、ステップＳ１４でダイアログを開いてリスト作成ボタンをクリックすると、図２２に示すように、図５の状態表示図面６２におけるアイソレーション範囲の機器とその操作状態に対応したアイソレーション票としてのアイソレーション票作成画面９４が開かれる。
【００８２】
最終的に、ステップＳ１５でアイソレーション票作成画面９４の左上のアイソレ票発行ボタン９６をクリックするとデータが確定し、図５の状態表示図面９２及び図２２のアイソレーション票が保守管理データべ―スサーバ１４に転送されて、アイソレーション票ファイル５８及びアイソレーション計画図面ファイル６０のそれぞれに保存される。
【００８３】
一方、ステップＳ１で図１５のメニュー画面６４から図１６の新規作成画面６８を開いた状態で実績参照作成処理を行う場合には、新規作成画面６８に設けているアイソレーションデータ抽出一覧７２をステップＳ７で選択してクリックすることで、図２３の実績参照画面９８が開かれる。
【００８４】
この実績参照画面９８は、この例にあっては新規作成により保存した実績が１件登録されていることから、これを参照情報として選択した後にコピーボタン１０２を操作する処理をステップＳ８で行うと、図２４のアイソレーション票修正画面１０２が作成中画面として表示される。
【００８５】
そこでステップＳ９において、この作成中画面であるアイソレーション票修正画面１０２の中の対象図面一覧ボタン１０６をステップＳ９で選択して操作すると、図１８と同じ対象図面一覧画面８２が表示される。
【００８６】
次にステップＳ１０で対象画面一覧の中から図面例えば「テスト図面２」を選択して図面確認ボタン８４を操作すると、新規作成により保存されている図５と同じアイソレーション範囲が広げられ、且つ手書き風操作状態図形が機器シンボルに重ねて表示された状態表示図面６２が開く。
【００８７】
ここで図５の状態表示図面６２においてアイソレーション範囲の中に状態を変更したい機器があった場合には、その機器を選択してステップＳ１１でクリックすると、ステップＳ１２で図２１のような機器情報操作画面９０が開き、ここに表示された機器について必要に応じてアイソレーション状態を変更し、ＯＫボタン９１を操作すると、状態の変更に対応した機器シンボルについて変更後の手書き風状態表示図形に切り替わった状態表示図面６２が表示される。
【００８８】
そしてステップＳ１４でダイアログを開いてリスト作成ボタンを押すと、変更後の操作状態に対応した図２４のアイソレーション票修正画面１０２が表示され、左上の修正終了ボタン１０４をクリックすることで、ステップＳ１５の新規作成時のアイソレーション票発行と同様にデータの確定が行われ、修正された状態表示図面６２及びアイソレーション票を図３の保守管理データベースサーバ１４側に転送して保存する。
【００８９】
またステップＳ１５で確定操作を行った場合には、図５のような状態表示図面６２の中のアイソレーション範囲について、図３の終端機器テーブル２６に定義しているアイソレーション範囲を拡大する条件との照合を行い、もし終端機器テーブル２６の条件に適合しないアイソレーション範囲の過不足があった場合には、その部分を例えばフリッカ表示などし、操作員に確認を促す。
【００９０】
次に図５のように、状態表示図面６２の中に機器シンボルに応じてアイソレーションの操作状態を示す手書き風の状態表示図形として、基本状態図形に、ある程度の揺らぎをランダムに与えて手書き風図形を表示する処理を説明する。
【００９１】
図２５は、手書き風図形作成処理のフローチャートであり、揺らぎ状態図形の生成には、この実施形態にあってはベジェ曲線の特性を利用している。ベジェ曲線は、曲線を制御するコントロールポイントを決定すれば、コントロールポイントを通る滑らかな曲線を描画することができるアルゴリズムである。
【００９２】
本発明にあっては、このベジェ曲線の生成に使用するコントロールポイントに、ある程度の揺らぎを与え、そのコントロールポイントを通るベジェ曲線を描画することにより、描画するごとに微妙に形の異なる手書き風の状態表示図形を生成する。更に、状態表示図形を描画する際に状態表示図形の重心座標にある程度のずれを与えることにより、描画ごとに微妙に位置のずれた状態図形を描く。
【００９３】
なお、ここでは揺らぎ状態図形の生成にベジェ曲線を利用しているが、コントロールポイントによって制御することができ、滑らかな曲線を描けるものであれば、どのような曲線であってもよい。
【００９４】
図２５において、まずステップＳ１で、取得された機器番号及び開閉状態からシンボル図形及び基本状態図形を決定する。即ち、機器番号により弁のシンボル図形と開状態に対応した基本状態図形「○」を決定する。次に図２５のステップＳ２で、シンボル図形を構成する基本図形の座標から図２６のステップＳ２に示すように重心ｃｓとサイズ「ｓｉｚｅ」を算出する。
【００９５】
ここでサイズ「ｓｉｚｅ」とはシンボル図形の重心から最も遠いシンボル位置までの長さであり、この例ではｓｉｚｅ＝３．６となっている。
【００９６】
続いて図２５のステップＳ３で、重心座標（ｃｊ）を
【００９７】
【数１】
0003619998.tif 000002
【００９８】
（但し、ｒｕｄは│ｒｕｄ│≦１となる乱数関数により表記のたびに生成される揺らぎベクトル）
により決定する。この式における右辺第２項を重心ｃｓに加えることにより、ランダムに重心座標（ｃｊ）がずれ、これが状態図形の描画位置のずれを引き起こす。続いてステップＳ４で、次式により状態図形のコントロールポイントを決定する。
【００９９】
【数２】
0003619998.tif 000003
【０１００】
この場合にも右辺第３項によるランダムな成分の加算でコントロールポイントに揺らぎを与え、結果として状態図形に揺らぎが与えられる。
【０１０１】
このようにして状態図形のコントロールポイントが決定されてならば、ステップＳ５で、各コントロールポイントを通過するベジェ曲線を描画し、図５の状態表示図面６２のように表示してユーザに示す。
【０１０２】
この図２５のステップＳ３〜Ｓ５の処理は、図２６のステップＳ３〜Ｓ５にまとめて示す処理となる。
【０１０３】
図２７は、図２５，図２６に示した手書き風図形作成処理で使用される基本状態図形の登録データである。この基本状態図形は、開を示す「○」、中間開を示す「△」、閉を示す「×」のそれぞれにおいて、基本状態図形３０−１，３０−２，３０−３を準備している。コントロールポイント座標は、基本状態図形３０−１については６ポイント、基本状態図形３０−２についても６ポイント、基本状態図形３０−３については５ポイントを決めている。
【０１０４】
更に、これは基本状態図形を作成するベジェ曲線の数として、基本状態図形３２−１については１本、基本状態図形３２−２については３本、基本状態図形３２−３については２本を、それぞれコントロールポイントに対応して定義している。
【０１０５】
したがって、図２７のような基本状態図形のデータから基本コントロールポイントの座標を取得し、図２５のステップＳ４のようにシンボル図形の重心座標とサイズを用いてコントロールポイントに揺らぎを与えることで、描画ごとに揺らぎを持った状態表示図形を生成することができる。
【０１０６】
このような本発明における機器シンボルに重ねて表示する状態表示図形に揺らぎを与える方法としては、これ以外に次のような方法をとることもできる。
（１）ユーザ別基本状態図形の登録
通常、人が描いた図形は描く人によって異なり、同じ人が描けばよく似た図形になるという特徴も考えられる。この特徴を表現するために、ユーザごとに異なった基本状態図形、即ち実際に手描きした図形もしくは基本コントロールポイントを登録する。そして図面を開く際に保守管理データベースサーバ１４からアイソレーション票を読み出す際に、作成者を抽出し、作成者に対応した基本状態図形を選択して使用することで、作成者の癖に応じた状態表示図形を機器シンボルに重ねて表示することができる。
（２）重要度別基本状態図形の登録
機器番号ごとに重要度のパラメータを持たせ、重要度に応じ基本状態図形を登録することによって、重要な機器については通常より目立つ状態表示図形を描画する。
（３）重要度によるサイズ（ｓｉｚｅ）への重み付け
機器番号ごとに重要度のパラメータを持たせ、重要度に応じてｓｉｚｅパラメータを調整することによって、重要な機器の状態表示図形は少し大きめに強調描画する。
【０１０７】
なお、本発明は上記の実施形態に限定されず、その目的と利点を損なわない適宜の変形を含む。また、本発明は上記の実施形態に示した数値による限定は受けない。
【０１０８】
（付記）
（付記１）
プラントの修理点検時等に特定の機器を隔離する操作のために使用するアイソレーション計画を作成する保守管理方法に於いて、
隔離対象機器を含む図面を検索して表示する図面検索ステップと、
前記図面上で隔離範囲を決定し、前記隔離範囲に存在する操作対象機器の各々に隔離のための操作状態を設定する操作状態設定ステップと、
前記操作対象機器の操作状態に対応して手書き風の状態表示図形を機器のシンボルに重ねて表示させたアイソレーション計画図面を作成する計画図面作成ステップと、
確定操作により前記アイソレーション計画図面を含む計画情報を保存する保存ステップと、
を備えたことを特徴とする保守管理方法。（１）
【０１０９】
（付記２）
付記１記載の保守管理方法に於いて、アイソレーション計画図面を含む計画情報が保存されている場合、
隔離対象機器に対応した保存済みアイソレーション計画図面を検索して表示させる保存図面検索ステップと、
前記アイソレーション計画図面上で必要に応じて前記操作対象機器の操作状態を設定変更する操作状態変更ステップと、
前記操作対象機器の操作状態の設定変更に対応して手書き風の状態表示図形を変更させる計画図面変更ステップと、
確定操作により変更済みの前記アイソレーション計画図面を含む計画情報を保存する保存ステップと、
を備えたことを特徴とする保守管理方法。（２）
【０１１０】
（付記３）
付記１記載の保守管理方法に於いて、前記図面検索ステップは、機器番号、機器名称又は図面名称の入力により図面管理サーバから前記隔離対象機器を含むＣＡＤ図面を取得して表示することを特徴とする保守管理方法。
【０１１１】
（付記４）
付記１記載の保守管理方法に於いて、前記操作状態設定ステップは、前記図面上の操作機器をクリックした際に、クリックした前記操作機器に配管接続されている次の操作機器を終端機器として隔離範囲を決定することを特徴とする保守管理方法。
【０１１２】
（付記５）
付記１記載の保守管理方法に於いて、前記操作状態設定ステップは、前記図面上の操作対象機器をクリックした際に、該操作対象機器に配管接続されている次の操作対象機器を終端機器として予め登録した終端機器テーブルを参照して、クリックした前記操作機器に対応する終端機器を認識して隔離範囲を決定することを特徴とする保守管理方法。
【０１１３】
（付記６）
付記１記載の保守管理方法に於いて、前記操作状態設定ステップは、決定された隔離範囲に含まれる操作対象機器のリストを表示し、前記リストに操作状態を入力設定することを特徴とする保守管理方法。
【０１１４】
（付記７）
付記１記載の保守管理方法に於いて、前記計画図面作成ステップは、人が手書きした図形をＣＡＤシステムのプリミティブ図形に登録し、前記手書き風の状態表示図形として読出し表示させることを特徴とする保守管理方法。
【０１１５】
（付記８）
付記１記載の保守管理方法に於いて、前記計画図面作成ステップは、基本となる図形に所定のゆらぎをランダムに与えて前記手書き風の状態表示図形を作成表示させることを特徴とする保守管理方法。
【０１１６】
（付記９）
付記１記載の保守管理方法に於いて、前記計画図面作成ステップは、操作対象機器の状態名称と状態表示図形の識別フラグを予め登録したアイソレーション状態定義テーブルを参照して、前記手書き風の状態表示図形を作成表示させることを特徴とする保守管理方法。
【０１１７】
（付記１０）
付記１記載の保守管理方法に於いて、前記計画図面作成ステップは、操作対象機器が弁の場合、弁の全開、中間開放及び全閉に対応して丸、三角及びバツの手書き風の状態表示図形を作成表示させることを特徴とする保守管理方法。
【０１１８】
（付記１１）
付記１記載の保守管理方法に於いて、前記保存ステップは、確定操作時に、操作対象機器に配管接続されている次の操作対象機器を終端機器として予め登録した終端機器テーブルを参照して前記隔離範囲を検証し、隔離範囲の過不足を表示させることを特徴とする保守管理方法。
【０１１９】
（付記１２）
コンピュータに、
プラントの特定の隔離対象機器を含む図面を検索して表示する図面検索ステップと、
前記図面上で隔離範囲を決定し、前記隔離範囲に存在する操作対象機器の各々に隔離のための操作状態を設定する操作状態設定ステップと、
前記操作対象機器の操作状態に対応して手書き風の状態表示図形を機器のシンボルに重ねて表示させたアイソレーション計画図面を作成する計画図面作成ステップと、
確定操作により前記アイソレーション計画図面を含む計画情報を保存する保存ステップと、
を実行させることを特徴とするプログラム。（３）
【０１２０】
（付記１３）
付記１２記載のプログラムに於いて、アイソレーション計画図面を含む計画情報が保存されている場合、前記コンピュータに、
隔離対象機器に対応した保存済みアイソレーション計画図面を検索して表示させる保存図面検索ステップと、
前記アイソレーション計画図面上で必要に応じて前記操作対象機器の操作状態を設定変更する操作状態変更ステップと、
前記操作対象機器の操作状態の設定変更に対応して手書き風の状態表示図形を変更させる計画図面変更ステップと、
確定操作により変更済みの前記アイソレーション計画図面を含む計画情報を保存する保存ステップと、
を実行させることを特徴とするプログラム。（４）
【０１２１】
（付記１４）
プラントの修理点検時等に特定の機器を隔離する操作のために使用するアイソレーション計画を作成する保守管理システムに於いて、
隔離対象機器を含む図面を検索して表示する図面検索部と、
前記図面上で隔離範囲を決定し、前記隔離範囲に存在する操作対象機器の各々に隔離のための操作状態を設定する操作状態設定部と、
前記操作対象機器の操作状態に対応して手書き風の状態表示図形を機器のシンボルに重ねて表示させたアイソレーション計画図面を作成する計画図面作成部と、
確定操作により前記アイソレーション計画図面を含む計画情報を保存する保存部と、
を備えたことを特徴とする保守管理システム。（５）
【０１２２】
（付記１５）
付記１４記載の保守管理システムに於いて、更に、
隔離対象機器に対応した保存済みアイソレーション計画図面を検索して表示させる保存図面検索部と、
前記アイソレーション計画図面上で必要に応じて前記操作対象機器の操作状態を設定変更する操作状態変更部と、
前記操作対象機器の操作状態の設定変更に対応して手書き風の状態表示図形を変更させる計画図面変更部と、
を備えたことを特徴とする保守管理システム。
【０１２３】
【発明の効果】
以上説明してきたように本発明によれば、修理または保守のために隔離対象となる機器を特定することで、ＣＡＤ図面が自動的に検索されて表示され、ＣＡＤ図面上で隔離対象機器の周りのアイソレーション操作を必要とする隔離範囲を試行錯誤的に決定して操作対象機器の操作状態を決めると、操作状態を示す手書き風の状態表示図形が機器シンボルに重ねて表示され、アイソレーション状態を一見して確認可能なアイソレーション計画図面を迅速且つ適切に作成することができる。
【０１２４】
特に、規則正しい図形が並ぶＣＡＤ図面において手書き風の操作状態図形の描画は非常に強調された存在となり、機器シンボル図形と操作状態図形との区別が凝視しなくとも感覚的に識別可能となり、アイソレーションのための機器の操作状態を見誤ることなく、確実にアイソレーション計画図面に従った操作を現場で行うことができ、アイソレーション業務の安全性を更に向上することができる。
【図面の簡単な説明】
【図１】本発明の原理説明図
【図２】本発明のシステム構成のブロック図
【図３】本発明の機能構成のブロック図
【図４】本発明によるアイソレーション計画図面作成処理のフローチャート
【図５】本発明により作成表示されるアイソレーション計画図面の説明図
【図６】図３の機器テーブルの説明図
【図７】図３の機器／図面変換テーブルの説明図
【図８】図３の図番／図面名変換テーブルの説明図
【図９】図３の終端機器テーブルの説明図
【図１０】図３のアイソレーション定義テーブルの説明図
【図１１】図３の状態表示図形テーブルの説明図
【図１２】図３の計画図面テーブルの説明図
【図１３】図３の実施計画詳細テーブルの説明図
【図１４】図５のアイソレーション計画図面を作成する具体的処理手順のフローチャート
【図１５】メニュー画面の説明図
【図１６】メニュー画面から開いた新規作成画面の説明図
【図１７】新規作成画面から開いた図面検索画面の説明図
【図１８】図面検索画面の検索実行で得られた対象図面一覧画面の説明図
【図１９】対象図面一覧画面から開かれた元図面の画面説明図
【図２０】隔離範囲の決定による範囲表示図面の画面説明図
【図２１】隔離範囲の機器のクリックで開かれた機器情報操作画面の説明図
【図２２】確定操作で作成された図５の計画図面に対応したアイソレーションリスト作成画面の説明図
【図２３】保存している計画図面を検索する実績参照画面の説明図
【図２４】実績参照画面から計画図面の修正に使用するアイソレーション修正画面の説明図
【図２５】本発明で使用する手書き風図形作成処理のフローチャート
【図２６】図２５の処理内容の説明図
【図２７】図２５の処理に使用される手書き風の基本状態図形、コントロールポイント及びベジェ曲線の数の説明図
【符号の説明】
１０：保守管理クライアント
１１：保守管理システム
１２：図面管理サーバ
１４：保守管理データベースサーバ
１６：データ収集システムサーバ
１８：ネットワーク
２０：機器テーブル
２２：機器／図面変換テーブル
２４：図番／図面名変換テーブル
２６：終端機器テーブル
２８：アイソレーション状態定義テーブル
３０：状態表示図形テーブル
３２：実施計画テーブル（ヘッダ部）
３４：実施計画詳細テーブル（データ部）
３６：新規作成部
３８：実績参照作成部
４０：図面検索部
４２：操作状態設定部
４４：計画図面作成部
４６：保存部
４８：保存図面検索部
５０：操作状態変更部
５２：計画図面変更部
５４：図面機器ファイル
５６：ＣＡＤ図面ファイル
５８：アイソレーション票ファイル
６０：アイソレーション計画図面ファイル
６２：状態表示図面
６４：メニュー画面
６８：新規作成画面
７４：図面検索画面
８２：対象図面一覧画面
８６：元図面
８８：範囲表示図面
９０：機器情報操作画面
９２：アイソレーション票作成画面
９８：実績参照画面
【図１】
0003619998.tif 000004
【図２】
0003619998.tif 000005
【図３】
0003619998.tif 000006
【図４】
0003619998.tif 000007
【図５】
0003619998.tif 000008
【図６】
0003619998.tif 000009
【図７】
0003619998.tif 000010
【図８】
0003619998.tif 000011
【図９】
0003619998.tif 000012
【図１０】
0003619998.tif 000013
【図１１】
0003619998.tif 000014
【図１２】
0003619998.tif 000015
【図１３】
0003619998.tif 000016
【図１４】
0003619998.tif 000017
【図１５】
0003619998.tif 000018
【図１６】
0003619998.tif 000019
【図１７】
0003619998.tif 000020
【図１８】
0003619998.tif 000021
【図１９】
0003619998.tif 000022
【図２０】
0003619998.tif 000023
【図２１】
0003619998.tif 000024
【図２２】
0003619998.tif 000025
【図２３】
0003619998.tif 000026
【図２４】
0003619998.tif 000027
【図２５】
0003619998.tif 000028
【図２６】
0003619998.tif 000029
【図２７】
0003619998.tif 000030